(57)【特許請求の範囲】
【請求項１】
電磁線と、外周に開口部を有すると共に、前記電磁線が巻装されるコイルスロットを有する電機子鉄心とを備えた電機子において、
前記コイルスロットの底面は、該底面中央部に対する両側が底面中央部に向かうに従い反開口部側に向かって傾斜すると共に、前記コイルスロットの側面と底面との挟角をほぼ１２０゜に形成し、
前記電磁線は、一層目が前記コイルスロットの側面に接すると共に該一層目の反開口部側の電磁線が前記コイルスロットの底面に接するように巻装され、二層目が前記一層目の隣接するの電磁線間に接すると共に、該二層目の反開口部側の電磁線が前記コイルスロットの底面に接するように巻装されることを特徴とする電機子。
【請求項２】
請求項１において、
前記コイルスロットの底部幅を電磁線の外径寸法の偶数倍に形成したことを特徴とする電機子。
【発明の詳細な説明】
【産業上の利用分野】
本発明は、電動機の電機子鉄心のコイルスロットに関するものである。
【従来の技術】
従来の電機子鉄心は、図３に示す形状のコイルスロットを有する。電磁線の巻装されるコイルスロットは底部が湾曲状に形成されている。
コイルスロット開口部は、電磁線の抜け止めをする蓋で閉じられている。
この従来のコイルスロットのものにおいては、電磁線間に空間が多くできる。この無駄な空間が多いほどコイルスロットに占められる電磁線の占有率が低く、コイルスロットに差し込む蓋が取り付けずらくなるものである。
そこで、図４に示す形状のコイルスロットについて試行検討をした。このものは、コイルスロットの底部を平坦にしたもので、コイルスロットの側面と底面との挟角が１０５゜になっている。このものにおいても電磁線間に無駄な空間が多く、上側の電磁線と蓋との間に０.１１mm の隙間ができる程度である。このため蓋の差し込みは、あいかわらず、しずらいものである。
【発明が解決しようとする課題】
本発明は上記の問題に対処し、電磁線間の無駄な空間が少なく、蓋の差し込みが容易にできる十分なスペースを確保できるコイルスロットを提供することを目的とする。
【課題を解決するための手段】
本発明は、電磁線が巻装されるコイルスロットを有する電機子鉄心において、コイルスロットの側面と底面との挟角をほぼ１２０゜に形成したことを特徴とするものである。
【作用】
挟角が１２０゜になると、コイルスロットの側面に接するように最初に巻装される一層目の電磁線と、最初に巻装された電磁線に接するように巻装される二層目の電磁線は３０゜ずれて並ぶようになる。このため、一層目の隣接する電磁線の谷間に二層目の電磁線が嵌まるように置かれ、巻装される電磁線間の無駄な空間は少なくなるのである。
【実施例】
以下本発明の実施例を図に基づいて説明する。
図１，図２は整流子電動機の回転子を示している。この回転子は電気掃除機の送風電動機用のものである。図１はスロットに回転子コイルを巻装していないものを示している。図２は回転子コイルを巻装したものを示している。図１，図２において、回転子１は回転子鉄心２，回転軸３，整流子４，回転子コイル５より出来ている。回転子コイル５は回転子鉄心２に形成している複数のコイルスロット６に巻装され、この遠心力で飛び出ないようにコイルスロット６の外周開口はコイル抜け止め用の蓋７で閉じられている。
コイルスロット６は、図５に示すように側面と底面との挟角が１２０゜に形成されている。コイルスロット６内面に絶縁板８を取り付けている。電磁線９が回転子鉄心２に直に触らないように絶縁板８を設けたものである。絶縁板８を設けても電磁線９が置かれるところの側面と底面との挟角は１２０゜になっている。電磁線９が全部巻装した後に蓋７をコイルスロット６の開口部側に取り付け、電磁線９が開口部から抜け出ないようにしている。ハッチングを施した電磁線９は一次の巻線、ハッチングをしない電磁線９は二次の巻線である。一番上側の電磁線９と蓋７との隙間は、０.２２mm である。図４に示す試行検討のコイルスロットにあっては、その隙間が０.１１mm であるので、本発明にかかるコイルスロット６の方が隙間は大きく、蓋７の取り付けがしやすいものである。
隙間が大きくとれる理由について、図７に沿って説明する。この図には一次巻線の電磁線９だけを示している。図７において、コイルスロット６の側面に接するように巻装される電磁線９ａは最初に巻かれる一層目のものである。一層目の電磁線９ａの接するように巻装される電磁線９ｂが二層目のものである。この一，二層の電磁線９の巻装は、コイルスロット６の左右に同じように行うのである。側面と底面との挟角が１２０゜になっているので、一層目の電磁線９ａの並びと二層目の電磁線９ｂの並びが３０゜ずれるようになる。このため、隣接する一層目の電磁線９ａの間にできる谷間の間に、二層目の電磁線９ｂが嵌まるような関係で両層の電磁線９ａ，９ｂが並ぶのである。重なり合う両層の電磁線９ａ，９ｂの中心を結ぶ三角形は正三角形になるのである。正三角形が形成されるような電磁線９ａ，９ｂの巻き方が、電磁線９ａ，９ｂ間にできる空間が最小になるのである。
ちなみに、試行検討のものについて図６を引用して述べる。コイルスロットの側面と底面との挟角が１０５゜のものにあっては、一層目の電磁線９ａの並びと二層目の電磁線９ｂの並びが僅かしかずれないので、隣接する一層目の電磁線  ９ａの間にできる谷間の間に、二層目の電磁線９ｂが嵌まるようにはならない。このため、電磁線９ａ，９ｂ間にできる空間が本発明のものに比べて大きなものである。
このように本発明のものにあっては、電磁線９ａ，９ｂ間にできる空間が最小になるので、蓋７を差し込むところのスペースがそれだけ大きく確保できるのである。
図７は一次巻線についてのものである。二次巻線の電磁線９は、図５に示されている。ハッチングをしていないものが二次巻線の電磁線９である。この二次巻線の電磁線９は、一次巻線の電磁線９が巻かれた後にできているほぼＶ字状の空間を埋めるように巻かれるのである。二次巻線の電磁線９は、全部が一次巻線の電磁線９と同じような状態で巻かれるものではないので、二次巻線の電磁線９間および一，二次巻線の電磁線９間に大き目の空間が多少はできるが、全体的には電磁線９間にできる空間は極めて少ないものである。このため、一番上に巻かれる電磁線９と蓋７との隙間は、図４に示す試行検討のものよりも大きなものになるのである。蓋７を差し込むところのスペースがそれだけ大きく確保でき、蓋７の取り付けは、しやすいものである。また蓋７の取り付けやすさを求めなければ、さらに追加の電磁線９を巻くことができ、コイルスロット６に占める巻線の占有率が向上するものである。
図５，図７に示す実施例はコイルスロット６に底部に配置される電磁線９は４本であるが、６本，８本，１０本……と偶数のものに本発明は適用できる。底部の幅は底部に配置される電磁線の直径の総和と等しくすることが望ましい。
また、上記の実施例は、回転子鉄心について述べたが、本発明は電機子鉄心である固定子鉄心にも適用できるものである。
さらに、コイルスロットの側面と底面の挟角を１２０゜にしたものについて述べたが、この角度に近似するものにも本発明は適用可能である。
さらにまた一次巻線の一層目と二層目の並びが３０゜ずれるようにコイルスロットの形状を種々選択できるものである。
【発明の効果】
以上述べたように本発明は、電磁線が巻装されるコイルスロットを有する電機子鉄心において、コイルスロットの側面と底面との挟角をほぼ１２０゜に形成したことを特徴とする電機子鉄心にある。
この構成によれば、コイルスロットに巻装する電磁線間の無駄な空間が少なくなるので、蓋の差し込みが容易にできる十分なスペースを確保できるのである。
【図面の簡単な説明】
【図１】電機子コイルが巻装される前の電機子鉄心の斜視図。
【図２】電機子コイルが巻装されている電機子鉄心の斜視図。
【図３】従来例に係るもので、コイルスロットの形状を示す図。
【図４】試行検討に係るもので、コイルスロットの形状を示す図。
【図５】本発明の一実施例に係るもので、コイルスロットの形状を示す図。
【図６】図４のＡ部拡大図。
【図７】図５のＢ部拡大図。
【符号の説明】
２…回転子鉄心、５…回転子コイル、６…コイルスロット。
【図１】
0003700185.tif 000002
【図２】
0003700185.tif 000003
【図３】
0003700185.tif 000004
【図４】
0003700185.tif 000005
【図５】
0003700185.tif 000006
【図６】
0003700185.tif 000007
【図７】
0003700185.tif 000008